(57)【要約】【課題】  パイプ等を十分な保持力で保持しつつ高い防振機能を得るとともに、パイプを保持している使用中にほこり等の異物が溜まるのを防止する防振クランプを提供する。【解決手段】  防振クランプ１は、パイプ等を保持するクランプ本体５を備え、クランプ本体５とパイプ等との間に振動減衰部材７Ａ、７Ｂが設けられて、長尺部材からクランプ本体へ及びクランプ本体から長尺部材へ振動が伝わるのを防止している。振動減衰部材７Ａ、７Ｂには、パイプ等に対向する面に、パイプ等に向けて突出し且つ該パイプ外面の周方向に延びるリブ１２〜１７が、パイプ等の軸方向に間隔をおいて複数個設けられて、リブ１２〜１７の頂面が長尺部材の保持面を形成する。【選択図】      図９
2006336732.tif 000002
【特許請求の範囲】
【請求項１】
パイプ等の長尺部材を保持するクランプ本体を備え、該クランプ本体と前記長尺部材との間に振動減衰部材が設けられて、長尺部材からクランプ本体へ及びクランプ本体から長尺部材へ振動が伝わるのを防止する、長尺部材の防振クランプであって、
前記振動減衰部材には、前記長尺部材に対向する面に、該長尺部材に向けて突出し且つ該長尺部材外面の周方向に延びるリブが、該長尺部材の軸方向に間隔をおいて複数個設けられて、該リブの頂面が前記長尺部材の保持面を形成していることを特徴とする防振クランプ。
【請求項２】
請求項１に記載の防振クランプにおいて、前記振動減衰部材の両端部を除く前記リブには、その一部に、ほこりや水等の異物を排出できる切欠きが形成されていることを特徴とする防振クランプ。
【請求項３】
請求項２に記載の防振クランプにおいて、前記振動減衰部材の両端部を除く前記複数のリブのそれぞれに前記切欠きが形成されており、各切欠きは、各リブの長さ方向において異物の排出用の直線状の排出通路を形成する位置に形成されていることを特徴とする防振クランプ。
【請求項４】
請求項３に記載の防振クランプにおいて、前記振動減衰部材には、前記リブの間の、前記排出通路に対応する位置に、前記長尺部材と反対の側に前記異物を排出できる開口が形成されていることを特徴とする防振クランプ。
【請求項５】
請求項１〜４のいずれか１項に記載の防振クランプにおいて、前記長尺部材の第１の半周部分の側面を保持する第１振動減衰部材と、前記長尺部材の第２の半周部分の側面を保持する第２振動減衰部材とを包含することを特徴とする防振クランプ。
【請求項６】
請求項５に記載の防振クランプにおいて、前記クランプ本体は、前記第１振動減衰部材を保持して該第１振動減衰部材によって長尺部材を保持するように形成された硬質プラスチックで成り、前記第１振動減衰部材上の前記長尺部材を脱落しないように保持して前記クランプ本体を覆うように該クランプ本体に連結される硬質プラスチックで成るカバーとを包含し、前記第２減衰振動減衰部材が、前記カバーに取付けられていることを特徴とする防振クランプ。
【請求項７】
請求項６に記載の防振クランプにおいて、前記第１振動減衰部材及び前記第２振動減衰部材は、対応する前記クランプ本体及び前記カバーのそれぞれに、インサート成形又は２色成形によって一体的に取付けられていることを特徴とする防振クランプ。
【請求項８】
請求項６又は７に記載の防振クランプにおいて、前記クランプ本体の第１振動減衰部材上に配置されたパイプを前記カバーの第２振動減衰部材で挟持するように、該クランプ本体及びカバーには、相互に押付けることによって連結される手段が設けられていることを特徴とする防振クランプ。
【発明の詳細な説明】
【技術分野】
【０００１】
本発明は、パイプやワイヤハーネス等の長尺部材を車体等の被取付部材に保持する防振クランプに関し、特に、パイプ等の長尺部材からの振動を車体等の被取付部材に伝えないようにし、あるいは車体等の被取付部材からの振動をパイプ等の長尺部材に伝えないようにする、長尺部材の防振クランプに関する。
【背景技術】
【０００２】
実開平４−１０１８８２号公報（特許文献１：実用新案登録第２５６３９３５号公報）には、パイプ等の防振クランプが開示されている。防振クランプは、第１防振クランプ片（クランプ本体）と、第１防振クランプ片に保持したパイプを脱落しないように覆う第２防振クランプ片（カバー）とを包含し、第１防振クランプ片と第２防振クランプ片のそれぞれには、パイプの半周部分の側面を保持するブロック状の一対のゴム部材（振動減衰部材）が取付けられている。パイプは、前記一対のゴム部材によって全周が包囲されて、パイプからの振動の伝達を阻止し、パイプへの振動の伝達を阻止している。
【０００３】
特開２００２−０３９４４０号公報（特許文献２）は、一対の防振クランプ部材のそれぞれに、ブロック状の弾性部材（振動減衰部材）貼り付けられた、パイプ用の防振クランプを開示している。一対の防振クランプ部材の間に保持されたパイプは、振動減衰部材である一対の弾性部材の間に全周が保持されて、パイプからの振動の伝達を阻止し、パイプへの振動の伝達を阻止している。
【０００４】
特開２００３−１０６４７９号公報（特許文献３）は、第１の半円環状部分と第２半円環状部分とが一端でヒンジ連結され、第１及び第２半円環状部分のそれぞれの内側には振動吸収体（振動減衰部材）が固着され、第１及び第２半円環状部分は、ヒンジと反対側の端部で連結されてパイプを第１及び第２半円環状部分の内側にパイプを保持する防振クランプを開示している。パイプは、内側に振動吸収体がある第１の半円環状部分と内側に振動吸収体がある第２半円環状部分との間に保持され、両振動吸収体によってパイプの全周が包囲され、パイプからの振動の伝達を阻止し、パイプへの振動の伝達を阻止している。振動吸収体は、パイプに対向する面に、パイプに向けて突出し且つパイプの軸方向に延びるリブがパイプ外面の周方向に間隔を複数個設けられてそれらリブの頂面がパイプの保持面を形成している。
【０００５】
【特許文献１】実開平４−１０１８８２号公報（実用新案登録第2563935号）
【特許文献２】特開２００２−０３９４４０号公報
【特許文献３】特開２００３−１０６４７９号公報
【発明の開示】
【発明が解決しようとする課題】
【０００６】
特許文献１及び特許文献２に記載の防振クランプは、振動減衰部材がブロック状すなわちかたまりとして形成され、パイプ側面の全面に接触して保持している。そのため、振動吸収効果を高くするように振動減衰部材（ゴム部材等）の強度を低くするとパイプの保持強度が低くなり、パイプの保持力を高くするように振動減衰部材の強度を高くすると振動吸収効果が低くなってしまう。特許文献３の振動減衰部材は、パイプの軸方向に延び且つ周方向に間隔をあけた複数のリブがパイプ側面を部分的に接触して保持するので、保持強度を高くするように振動減衰部材の強度を上げても、振動吸収効果を損なうことなくパイプの保持強度を高く維持できる。しかしながら、この特許文献３の防振クランプは、パイプを保持した使用状態において、リブとリブとの間の空間すなわち溝部分がクランプの両端において開放しているので、該溝部分に徐々にほこり等が溜まる虞れがあり、ほこり等の中に水分が溜まって固化してしまうと、振動減衰部材と一体となってブロック状になってしまい、当初の振動吸収能力が失われてしまう。
【０００７】
従って、本発明の目的は、パイプ等を十分な保持力で保持しつつ高い防振機能を得るとともに、パイプを保持している使用中にほこり等の異物が溜まるのを防止する防振クランプを提供することにある。
【課題を解決するための手段】
【０００８】
かかる目的を達成するため、本発明は、パイプ等の長尺部材を保持するクランプ本体を備え、クランプ本体と長尺部材との間に振動減衰部材が設けられて、長尺部材からクランプ本体へ及びクランプ本体から長尺部材へ振動が伝わるのを防止する、長尺部材の防振クランプであって、振動減衰部材には、長尺部材に対向する面に、該長尺部材に向けて突出し且つ該長尺部材外面の周方向に延びるリブが、該長尺部材の軸方向に間隔をおいて複数個設けられて、該リブの頂面が長尺部材の保持面を形成していることを特徴とする防振クランプを提供する。
【０００９】
上記防振クランプによれば、振動減衰部材の各リブが、パイプの長さ方向ではなく、パイプ外面の周方向に延びてパイプの長さ方向に直交する壁を形成しているので、リブとリブの間の溝にほこりが入るのが防止でき、これによって、パイプ等の長尺部材を保持する使用中にほこり等の異物が溜まるのを防止することができ、また、長尺部材は間隔をおいた複数のリブによって保持されるので、振動減衰部材の強度を上げても、振動吸収効果を損なうことなしに、長尺部材の保持強度を高く維持できる。
【００１０】
上記防振クランプにおいて、振動減衰部材の両端部を除くリブには、その一部に、ほこりや水等の異物が通過できる切欠きが形成されるのが好ましい。これによって、万一ほこりや水等の異物が詰まっても長尺部材を保持した使用状態のままで異物を排出できる。また、その場合、振動減衰部材の両端部を除く複数のリブのそれぞれに切欠きが形成され、各切欠きは、各リブの長さ方向において異物の排出用の直線状の排出通路を形成する位置に形成されるのが好ましい。排出通路が直線状に形成されているので、万一異物が詰まってもその排出が容易にできる。更に、振動減衰部材には、リブの間の、排出通路に対応する位置に、長尺部材と反対の側に異物を排出できる開口が形成されているのが好ましく、排出を一層容易にできる。
【００１１】
上記防振クランプにおいて、長尺部材の第１の半周部分の側面を保持する第１振動減衰部材と、長尺部材の第２の半周部分の側面を保持する第２振動減衰部材とで長尺部材の全周を包囲するようにできる。クランプ本体は、第１振動減衰部材を保持して第１振動減衰部材によって長尺部材を保持するように形成された硬質プラスチックで成り、第１振動減衰部材上の長尺部材を脱落しないよう保持してクランプ本体を覆うようにクランプ本体に連結される硬質プラスチックで成るカバーとを包含し、第２減衰振動減衰部材が、カバーに取付けられように構成できる。その場合、第１振動減衰部材及び第２振動減衰部材は、クランプ本体及びカバーのそれぞれに、嵌合等によって連結してもよいが、インサート成形又は２色成形によって一体的に取付けることもできる。また、カバーとクランプ本体には、クランプ本体の第１振動減衰部材上に配置されたパイプをカバーの第２振動減衰部材で挟持するように、クランプ本体とカバーを相互に押付けることによって連結される手段が設けられているのが好ましい。
【発明を実施するための最良の形態】
【００１２】
以下、本発明の１実施形態に係る、燃料パイプやブレーキ油パイプ、あるいはワイヤハーネス等の長尺部材の防振クランプ１について図面を参照しながら説明する。図１〜図６は、防振クランプ１を示している。図７及び図８は、防振クランプ１に長尺部材としてのパイプ２、３が保持された状態を示している。図１〜図６に示すように、防振クランプ１は、パイプ等の長尺部材を保持するように形成された、硬質プラスチックで成るクランプ本体５と、クランプ本体５にある長尺部材を脱落しないようにクランプ本体５を保持する硬質プラスチックで成るカバー６とを包含する。更に、クランプ本体５には、長尺部材を保持する側に振動減衰部材７Ａが取付けられ、カバー６には、長尺部材を保持する側に振動減衰部材７Ｂが取付けられ、パイプ２及び３を振動減衰部材７Ａ及び７Ｂでのみ保持して、パイプからクランプ本体５への振動の伝達を阻止し、クランプ本体５からパイプへの振動の伝達を阻止している。振動減衰部材７Ａ及び７Ｂは、振動を減衰する、軟質プラスチック（好ましくは、軟質エラストマー）やゴム（合成ゴムを含む）等の材料で形成される。
【００１３】
図９〜図１３には振動減衰部材７Ａが示されている。図示の例では振動減衰部材７Ａはクランプ本体５に取付けられる。カバー６に取付けられる振動減衰部材７Ｂは、振動減衰部材７Ａとほぼ同じ構造であるが、後述する切欠き及び開口が無い点で異なる。図１４〜図１８には、振動減衰部材７Ａが取付けられたクランプ本体５を示されている。図１９〜図２３には、振動減衰部材７Ｂが取付けられたカバー６が示されている。防振クランプ１の全体を説明する前に、図９〜図１３を参照して振動減衰部材７Ａを説明し、それに関連して振動減衰部材７Ｂを説明し、次に、図１４〜図１８を参照して振動減衰部材７Ａが取付けられたクランプ本体５を説明し、更に、図１９〜図２３を参照して振動減衰部材７Ｂが取付けられたカバー６を説明する。
【００１４】
図９〜図１３に示される振動減衰部材７Ａは、クランプ本体５の振動減衰部材保持部に嵌合等によって取付けられる形状に形成される。振動減衰部材７Ｂは、図２０及び図２１に図示のように、カバー６の振動減衰部材保持部に嵌合等によって取付けられる形状に形成される。振動減衰部材７Ａは、図示の例では、直径の異なる２本のパイプを平行に保持する形状に形成されている。例えば、パイプが円筒である場合、振動減衰部材７Ａのパイプ保持部９及び１０の形状は、パイプ２及び３の外径に合わせた半円形状の溝として形成される。パイプ保持部９及び１０の形状は、保持するパイプの大きさや形状によって任意に形成でき、パイプ保持部の数も必要に応じて設けることができる。振動減衰部材７Ａの材料は、振動の減衰に有効な材料であれば任意の材料でよい。現在知られている好ましい材料としては、軟質エラストマー、ゴム（合成ゴムであっても天然ゴムであってもよい）等の弾性を有する材料が挙げられる。振動減衰部材７Ｂは、振動減衰部材７Ａの材料及びパイプ保持部の形状と実質的に同じである。
【００１５】
振動減衰部材７Ａのパイプ保持部９及び１０のそれぞれには、パイプを保持する面に、パイプ面に向けて突出し且つパイプ外面の周方向に沿って延びる、リブ１２〜１７が、パイプの軸方向に間隔をおいて複数個（図示の例では６個）設けられ、リブ１２〜１７の頂面がパイプの保持面を形成している。各リブの形状は、パイプが円筒形状の場合、図９、図１１及び図１５に示すように、その外面をほぼ半周にわたって当接する、半円形状に形成される。各リブの内径は、パイプ外面に緊密に接触するように、パイプの外径に等しく形成されるのが好ましい。リブ１２〜１７のそれぞれは、パイプ外面の周方向に延びる、パイプの長さ方向に直交する壁を形成しているので、リブとリブの間の溝にほこり等の異物が入るのを防止でき、防振クランプ１の使用中に、振動減衰部材７Ａの中にほこり等の異物が溜まるのを防止できる。とりわけ、パイプ保持部９及び１０の両端部のリブ１２及び１７は、パイプの全周に密着して振動減衰部材７Ａの内側に異物が入るのを阻止する。また、パイプの各々は、間隔をおいた複数のリブ１２〜１７によって保持されるので、パイプの側面は部分的に保持され、パイプ側面全体に接触するブロック状の振動減衰部材と違って、保持強度を高くするように振動減衰部材７Ａの強度を上げても、振動吸収効果を損なうことはない。振動減衰部材７Ｂにも、振動減衰部材７Ａと同じように、リブ１２〜１７が形成される。なお、振動減衰部材７Ａ及び振動減衰部材７Ｂのいずれにおいても、リブ１２〜１７の突出高さは、パイプ側面を確実に保持できる限り任意の高さにでき、その高さは、保持強度や振動吸収効果を考慮して選択できる。また、リブの長さ方向を横切る幅も、パイプ側面を確実に保持できる限り任意の長さにでき、その長さは、保持強度や振動吸収効果を考慮して選択できる。
【００１６】
図示の実施形態において、クランプ本体５は、カバー６より下方に取付けられる。下方に位置する振動減衰部材７Ａは、両端部のリブ１２及び１７を除くリブ１３〜１６に、その一部（好ましくは、防振クランプ１を取付けた状態で底面となる位置）に、ほこりや水等の異物が通過できる切欠き１９が形成される。振動減衰部材７Ａより上方に位置する振動減衰部材７Ｂには切欠きは不要であって形成されない。カバー６がクランプ本体５よりも下方に位置する場合、カバー６には切欠ききのある振動減衰部材が取付けられ、クランプ本体５には切欠きのない振動減衰部材が取付けられるであろう。切欠き１９によって、防振クランプ１の中に万一ほこりや水等の異物が詰まってもパイプを保持した使用状態のままで異物を排出することを可能にする。排出を容易にするため、両端部のリブ１２及び１７を除く複数のリブ１３〜１６のそれぞれに切欠き１９が形成され、各切欠き１９は、異物排出の直線状の排出通路を形成するようにリブの長さ方向において同じ位置に形成されている。排出通路が直線状に形成されているので、万一異物が詰まってもその排出が容易にできる。更に、中間リブ１４と中間リブ１５の間の、排出通路に対応する位置には、パイプと反対の側に異物を排出できる開口２０が振動減衰部材７Ａを貫通して形成されている。振動減衰部材７Ｂには開口は不要であって形成されない。
【００１７】
振動減衰部材７Ａの、リブ以外の部分である基部２２は、クランプ本体５の振動減衰部材保持部に収容されてその中に嵌合できる形状に形成されている。図示の例では、図１０の平面図及び図１２の底面図においては、ほぼ矩形であって、図１１の側面図及び図１３の断面図においては、パイプ保持部以外において一定の高さを有する、矩形のブロック形状に形成され、その高さは、クランプ本体５及びカバー６の高さよりも高く形成されている。なお、図１２の底面図及び図１３の断面図に示すように、材料の節約と軽量化並びに振動減衰効果の向上のために、ブロック状（むく）ではなく、必要な強度を維持しつつ肉抜き形状にされる。振動減衰部材７Ｂの基部も、振動減衰部材７Ａと実質的に同じ形状に形成される。振動減衰部材７Ａには、２つのパイプ保持部９及び１０の間に、クランプ本体５の振動減衰部材７Ａとカバー６の振動減衰部材７Ｂとが当接した状態で一定の高さを維持するスペーサ部２３が両端に形成されている。振動減衰部材７Ｂは、振動減衰部材７Ａの２つのスペーサ部２３の中間において突出する、相補形状のスペーサ部２４（図２１参照）を有する。両端で突出したスペーサ部２３を有する振動減衰部材７Ａがクランプ本体５に取付けられ、中央で突出した相補形状のスペーサ部２４を有する振動減衰部材７をカバー６に取付けられる。それにより、カバー６をクランプ本体５に連結したとき、振動減衰部材７Ａのスペーサ部２３振動減衰部材７Ｂのスペーサ部２４が相互に補って、連結時の姿勢を適正に維持できる。
【００１８】
図１４〜図１８を参照して、振動減衰部材７Ａが取付けられたクランプ本体５を説明する。クランプ本体５は、振動減衰部材７Ａを収容して保持する、上面が開放し底面がほぼ塞がった箱形状の、振動減衰部材保持部２５と、車体等の被取付部材へ取付けるための固定部２６とを有し、更に、カバー６を連結する手段を有する。図示の実施形態において、クランプ本体５は、更に、固定部２６に隣接して、パイプ２、３とは別のパイプ等を保持するパイプ保持部２７を有する。パイプ保持部２７は、例えば、振動の少ないパイプ等を保持するのに利用される。図示の固定部２６は、車体等のパネルに立設された、ねじ又は周溝が形成された棒状スタッド（図示せず）に係止してクランプ本体５を被取付部材に固定する。ねじ又は周溝が形成された棒状スタッドに係止するため、固定部２６は、スタッドを受入れる穴が形成され、その穴内には、複数段の係止爪２９が対を成して形成されている。図示の例では、スタッドは図１５の上方から下方に挿入されて、係止爪２９の先端がスタッドのねじ又は周溝に係止する。なお、被取付部材への固定手段としては、スタッドへ固定するもの以外のものでもよく、例えば、他の固定手段としては、被取付部材の取付穴に挿入して係合する錨脚クリップが挙げられる。
【００１９】
振動減衰部材保持部２５は、振動減衰部材７Ａを受入れて保持する形状のほぼ箱形状に形成される。図１５の正面図に示すように、パイプを保持する部分は、振動減衰部材７Ａのパイプ保持部９及び１０を露出してリブ１２〜１７でのみパイプを保持する大きさの半円形状に切欠かれて形成されている。振動減衰部材保持部２５は、振動減衰部材７Ａを収容するとその外周に嵌合して振動減衰部材７Ａが保持される大きさの枠を有する形状にされている。そして、振動減衰部材保持部２５には、保持した振動減衰部材７Ａが振動減衰部材保持部２５から外れないようにする、連結係止脚３０が、振動減衰部材７Ａの２つのスペーサ部２３に対応する位置に形成されている。連結係止脚３０は、図１５の正面図において細長い矢状の板状体に形成されている。振動減衰部材７Ａのスペーサ部２３には、連結係止脚３０が摩擦しながら通る細い係止穴３１が形成されている。これらによって、振動減衰部材７Ａが、振動減衰部材保持部２５に押込まれ、連結係止脚３０がスペーサ部２３の係止穴３１に挿入されて貫通すると、振動減衰部材７Ａが振動減衰部材保持部２５に強固に取付けられる。なお、図１６の底面図に明らかなように、振動減衰部材保持部２５の底面には、振動減衰部材７Ａの開口２０に対応する位置に異物排出のための開口３３が形成されている。振動減衰部材７Ａは、振動減衰部材保持部２５に押込むことによってクランプ本体５に取付けられる。なお、振動減衰部材はクランプ本体５にインサート成形又は２色成形等の一体成形によって一体的に取付けられてもよい。
【００２０】
振動減衰部材保持部２５には、カバー６を連結する手段としてのカバー連結部３４が、図１４の右側の端部に形成されている。カバー連結部３４には、カバー６に形成された係止脚を受入れて係止する係止穴３５が形成されている。また、固定部２６には、他のカバー連結手段として、カバー６の弾性係止部に係止する係止部３６が形成され、カバー連結部３４と協働して、カバー６をクランプ本体５に連結する。更に、他のカバー連結手段として、固定部２６には、カバー６の固定部包囲フレームに係合してそれ以上の押込みを規制して連結が外れるのを阻止する、一対の係合用突起３７が形成されている。
【００２１】
図１９〜図２３を参照して、振動減衰部材７Ｂが取付けられたカバー６を説明する。カバー６は、クランプ本体５の振動減衰部材保持部２５のパイプ２、３を保持して外れないように覆って保持する。カバー６は、振動減衰部材７Ｂを収容して保持する、下面が開放され上面が塞がった箱形状の振動減衰部材保持部３８と、クランプ本体５に連結される連結手段とを有する。振動減衰部材保持部３８は、振動減衰部材７Ｂを受入れて保持する形状のほぼ箱形状に形成される。図２０の正面図に示すように、パイプを保持する部分は、振動減衰部材７Ｂのパイプ保持部９及び１０を露出してリブ１２〜１７でのみパイプを保持する大きさの半円形状に切り欠かれている。振動減衰部材保持部３８は、振動減衰部材７Ｂを収容するとその外周に嵌合して振動減衰部材７Ｂが保持される大きさの枠を有する形状にされている。なお、その保持力は、カバー６に振動減衰部材７Ｂが仮留めされる程度の弱い力でもよい。カバー６をクランプ本体５に連結すれば、強い保持力が得られるからである。振動減衰部材７Ｂは、振動減衰部材７Ａと違って、リブ１３〜１６には切欠きがない。また、振動減衰部材７Ｂには、リブ１４と１５の間に開口が形成されない。振動減衰部材７Ｂに開口がないので、カバー６の上面にも開口は形成されていない。振動減衰部材７Ｂは、振動減衰部材保持部３８に押込むことによってカバー６に取付けられる。なお、振動減衰部材はカバー６にインサート成形又は２色成形等の一体成形によって一体的に取付けられてもよい。
【００２２】
カバー６をクランプ本体５に連結する連結手段は、クランプ本体５のカバー連結部３４の係止穴３５に対応する位置に形成された、下方に延びる係止脚３９と、クランプ本体５の固定部２６を包囲する固定部包囲フレーム４２と、固定部包囲フレームに設けられ固定部２６の係止部３６に係合する弾性係止部４３とで構成される。固定部包囲フレーム４２は、固定部２６を外周を包囲するように係合する。弾性係止部４３が固定部包囲フレーム４２の上方への抜け止めとして機能し、また、固定部包囲フレーム４２がクランプ本体５の固定部２６に形成された一対の係合用突起３７に係合して、下方への抜け止めとして機能する。かかる構成により、係止脚３９をカバー連結部３４の係止穴３５に位置決めし、また固定部包囲フレーム４２を固定部２６を受入れるように位置決めして、カバー６をクランプ本体５に押込むだけの簡単な操作でで、カバー６がクランプ本体５に連結される。図示の実施形態において、係止脚３９は、係止爪４５が形成された下方部分から上方に延びており、上方部分が係止解除片４６として形成されている。係止解除片４６を撓めることによって、係止脚３９をカバー連結部３４から外すことができ、固定部包囲フレーム４２をやや強く固定部２６から引抜けば、カバー６をクランプ本体５から取外すことができる。
【００２３】
図１〜図８を参照して、防振クランプ１及びパイプ２及び３を防振クランプ１で保持する状態について説明する。図１〜図６は、パイプのない状態で、クランプ本体５にカバー６を連結した状態を示している。クランプ本体５には、振動減衰部材７Ａが保持され、カバー６には、振動減衰部材７Ｂが保持されている。カバー６の係止脚３９がクランプ本体５のカバー連結部３４に係止し、カバー６の固定部包囲フレーム４２の弾性係止部４３がクランプ本体５の係止部３６に係止するように、カバー６がクランプ本体５に押込まれて連結される。振動減衰部材７Ａと振動減衰部材７Ｂは、それぞれのパイプ保持部９と１０とが相互に接触して、内側にパイプを保持する空洞を形成する。図７及び図８に示すように、パイプ２、３をパイプ保持部９、１０にそれぞれ保持するには、カバー６をクランプ本体５に連結する前に、例えば、クランプ本体５の振動減衰部材７Ａのパイプ保持部９、１０にパイプ２、３を配置して、クランプ本体５のパイプ２、３をカバー６で覆うようにカバー６をクランプ本体５に連結すればよい。これによって、パイプ２、３は、クランプ本体５の振動減衰部材７Ａとカバー６の振動減衰部材７Ｂとによって包囲され、挟持される。
【００２４】
既述のように、振動減衰部材７Ａ及び７Ｂのパイプ保持面には、リブ１２〜１７が形成されており、それぞれのリブは、パイプ外面の周方向に延びる、パイプの長さ方向に直交する壁を形成しているので、リブとリブの間の溝にほこり等の異物が入るのを防止でき、防振クランプ１の使用中に、振動減衰部材７Ａ及び振動減衰部材７Ｂの中にほこり等の異物が溜まるのを防止できる。とりわけ、パイプ保持部９及び１０の両端部のリブ１２及び１７は、パイプの全周に密着して振動減衰部材７Ａの内側に異物が入るのを阻止する。また、パイプの各々は、間隔をおいた複数のリブ１２〜１７によって保持されるので、パイプの側面は部分的に保持され、パイプ側面全体に接触するブロック状の振動減衰部材とは違って、保持強度を高くするように振動減衰部材７Ａ及び７Ｂの強度を上げても、振動吸収効果を損なうことはない。また、下面側の振動減衰部材７Ａには、リブ１３〜１６に切欠き１９が形成されて、万一ほこりや水等の異物が詰まってもパイプを保持した使用状態のままで異物を排出することを可能にし、更に開口２０及び３３を通して異物を外部に容易に排出できる。
【図面の簡単な説明】
【００２５】
【図１】本発明の１実施形態に係る防振クランプの平面図である。
【図２】図１の防振クランプの正面図である。
【図３】図１の防振クランプの底面図である。
【図４】図１の防振クランプのＡ−Ａ線断面図である。
【図５】図２の防振クランプの左側面図である。
【図６】図２の防振クランプの右側面図である。
【図７】パイプを保持した図１の防振クランプの正面図である。
【図８】図７の防振クランプを底面側から見た斜視図である。
【図９】図１の防振クランプに使用される振動減衰部材７Ａの斜視図である。
【図１０】図９の振動減衰部材の平面図である。
【図１１】図９の振動減衰部材の正面図である。
【図１２】図９の振動減衰部材の底面図である。
【図１３】図１０の振動減衰部材のＢ−Ｂ線断面図である。
【図１４】振動減衰部材が取付けられたクランプ本体の平面図である。
【図１５】図１４のクランプ本体の正面図である。
【図１６】図１４のクランプ本体の底面図である。
【図１７】図１５のクランプ本体の左側面図である。
【図１８】図１５のクランプ本体の右側面図である。
【図１９】振動減衰部材が取付けられたカバーの平面図である。
【図２０】図１９のカバーの正面図である。
【図２１】図１９のカバーの底面図である。
【図２２】図２０のカバーの左側面図である。
【図２３】図２０のカバーの右側面図である。
【符号の説明】
【００２６】
１  防振クランプ
２、３  パイプ
５  クランプ本体
６  カバー
７Ａ、７Ｂ  振動減衰部材
９、１０  振動減衰部材のパイプ保持部
１２〜１７  リブ
１９  切欠き
２０  開口
２２  基部
２３  振動減衰部材７Ａのスペーサ部
２４  振動減衰部材７Ｂのスペーサ部
２５  クランプ本体の振動減衰部材保持部
２６  固定部
２７  クランプ本体のパイプ保持部
２９  係止爪
３０  連結係止脚
３１  係止穴
３３  開口
３４  カバー連結部
３５  係止穴
３６  係止部
３７  係合用突起
３８  カバーの振動減衰部材保持部
３９  係止脚
４１  係止部
４２  固定部包囲フレーム
４３  弾性係止部
４５  係止爪
４６  係止解除片
【図１】
2006336732.tif 000003
【図２】
2006336732.tif 000004
【図３】
2006336732.tif 000005
【図４】
2006336732.tif 000006
【図５】
2006336732.tif 000007
【図６】
2006336732.tif 000008
【図７】
2006336732.tif 000009
【図８】
2006336732.tif 000010
【図９】
2006336732.tif 000011
【図１０】
2006336732.tif 000012
【図１１】
2006336732.tif 000013
【図１２】
2006336732.tif 000014
【図１３】
2006336732.tif 000015
【図１４】
2006336732.tif 000016
【図１５】
2006336732.tif 000017
【図１６】
2006336732.tif 000018
【図１７】
2006336732.tif 000019
【図１８】
2006336732.tif 000020
【図１９】
2006336732.tif 000021
【図２０】
2006336732.tif 000022
【図２１】
2006336732.tif 000023
【図２２】
2006336732.tif 000024
【図２３】
2006336732.tif 000025